(57)【要約】      （修正有）【課題】軽量化と構造の簡素化を実現する冷陰極蛍光ランプを提供する。【解決手段】一面を平坦面とした中空筒状の合成樹脂製の基体１と、基体に被蓋される半筒状の合成樹脂製のランプカバー６により構成されるランプ本体と、基体の平坦面上に装着される冷陰極蛍光管Ｌと、基体内側に収容されるインバータ装置と、ランプ本体の両端に取り付けられる口金１０と、上記口金の底部分から突設されるランプピン１１からなり、平坦面を除いた基体の表面にアクリル樹脂とイソシアネート化合成分の２液性塗料によるコーティング層４を施し、平坦面にはアクリル樹脂塗料によるコーティング層３を施し、ランプカバーにはアクリルウレタン２液性塗料によるコーティング層８、９を施す。【選択図】図１
0003168735.tif 000002
【実用新案登録請求の範囲】
【請求項１】
一面を平坦面とした中空筒状の合成樹脂製の基体と、この基体の平坦面側に被蓋される透光性を有する半筒状の合成樹脂製のランプカバーにより構成されるランプ本体と、基体外側にして平坦面上に装着される冷陰極蛍光管と、基体内側に収容されるインバータ装置と、ランプ本体の両端に取り付けられる有底筒状の合成樹脂製の口金と、上記口金の底部分から突設されるランプピンからなり、上記口金をランプソケットに挿入することにより導通すべき上記ランプピンを介してインバータ装置と冷陰極蛍光管からなる点灯回路に電力を供給するランプにおいて、平坦面を除いた基体の表面にその機械的性能および物理的性能を向上させるための樹脂系塗料によるコーティング層を施すと共に、平坦面にはその反射性能と機械的性能および物理的性能を向上させるための樹脂系塗料によるコーティング層を施し、ランプカバーの表裏面または表面または裏面にはその光拡散性能と機械的性能および物理的性能を向上させるための樹脂系塗料によるコーティング層を施したことを特徴とする冷陰極蛍光ランプ。
【請求項２】
一面を平坦面とした中空筒状のポリカーボネート製の基体と、この基体の平坦面側に被蓋される透光性を有する半筒状のポリカーボネート製のランプカバーにより構成されるランプ本体と、基体外側にして平坦面上に装着される冷陰極蛍光管と、基体内側に収容されるインバータ装置と、ランプ本体の両端に取り付けられる有底筒状の合成樹脂製の口金と、上記口金の底部分から突設されるランプピンからなり、上記口金をランプソケットに挿入することにより導通すべき上記ランプピンを介してインバータ装置と冷陰極蛍光管からなる点灯回路に電力を供給するランプにおいて、平坦面を除いた基体の表面にその機械的性能および物理的性能を向上させるための樹脂系塗料によるコーティング層を施すと共に、平坦面にはその反射性能と機械的性能および物理的性能を向上させるための樹脂系塗料によるコーティング層を施し、ランプカバーの表裏面または表面または裏面にはその光拡散性能と機械的性能および物理的性能を向上させるための樹脂系塗料によるコーティング層を施した請求項１記載の冷陰極蛍光ランプ。
【請求項３】
一面を平坦面とした中空筒状の合成樹脂製の基体と、この基体の平坦面側に被蓋される透光性を有する半筒状の合成樹脂製のランプカバーにより構成されるランプ本体と、基体外側にして平坦面上に装着される冷陰極蛍光管と、基体内側に収容されるインバータ装置と、ランプ本体の両端に取り付けられる有底筒状の合成樹脂製の口金と、上記口金の底部分から突設されるランプピンからなり、上記口金をランプソケットに挿入することにより導通すべき上記ランプピンを介してインバータ装置と冷陰極蛍光管からなる点灯回路に電力を供給するランプにおいて、平坦面を除いた基体の表面にアクリル樹脂とイソシアネート化合成分の２液性塗料によるコーティング層を施すと共に、平坦面には高輝度のアクリル樹脂塗料による光沢度９５％以上のコーティング層を施し、ランプカバーの表裏面にはアクリルウレタン２液性塗料によるコーティング層を施した請求項１または２記載の冷陰極蛍光ランプ。
【考案の詳細な説明】
【技術分野】
【０００１】
本願考案は冷陰極蛍光管を内蔵したランプに関し、より詳細にはランプの軽量化と構造の簡素化を実現したランプに関する。
【背景技術】
【０００２】
冷陰極蛍光管は電極にフィラメントを有しないので、非常に管径が細いものが可能となるという特長を有する。また、点滅点灯に強いために寿命も長く、さらに、構造や点灯回路の構成が比較的簡単なので低コストで済むという特長を有する。そこで、収容スペースが限られており、購買者において交換をすることを前提としない液晶ディスプレーのバックライトなどに多用されていた。
【０００３】
これに関し、全長および口金形状に関し従来の蛍光管の規格と互換性を持たせたランプ本体内に冷陰極蛍光管を収容し、従来の蛍光灯器具に装着可能とした冷陰極蛍光ランプが本願出願人により提案されている（特許文献１）。この場合、それを一般人が取り扱うことを想定した場合、冷陰極蛍光管は駆動する電圧が高いので漏れ電流検知回路やインターロック回路などの感電事故の防止策を考慮しなければいけなかった。そこで、前記発明においてはランプ内に冷陰極蛍光管を駆動するインバータを内蔵させていた。これにより、ランプには一般の商用電源または低圧の直流電源を供給するだけであり、従来の照明器具と同様のランプソケットなどを使用しても使用者の安全は担保される。
【０００４】
一方、ランプ本体の構造に関し、一面を平坦面とした中空筒状の合成樹脂製の基体と、この基体の平坦面側に被蓋される透光性を有する半筒状の合成樹脂製のランプカバーによりランプ本体を構成し、冷陰極蛍光管を基体の平坦面上に装着し、インバータ装置を基体内側に収容する発明も提案されている（特許文献２）。この公知発明においては基体はアルミ素材により構成され、また、平坦面には冷陰極蛍光管からの光をランプカバー側に反射させるために反射板が重ねられている。
【先行技術文献】
【特許文献】
【０００５】
【特許文献１】特開２００９−１４６６２２
【特許文献２】特開２０１０−２０５４９０
【考案の概要】
【考案が解決しようとする課題】
【０００６】
ところで、日本工業規格（ＪＩＳ）ではランプと装着品の総重量が５００グラムを越えてはならないと規定しており、前記の冷陰極蛍光ランプにおいても軽量化が望まれている。
【０００７】
この場合、前記の特許文献２に記載のランプ本体の構造においては、基体をアルミ素材により構成するのでどうしても重量が嵩み軽量化が難しい問題があった。また、ランプ本体が合成樹脂と金属という異種の素材により構成されるので、製造工程が複雑となり製造コストが嵩む問題もあり、さらに、廃棄する場合も合成樹脂製の部材と金属製の部材とに分解しなくてはならない煩わしさがあった。
【課題を解決するための手段】
【０００８】
本願考案は、以上の問題点を解決した冷陰極蛍光ランプを提供することを目的として創作されたものである。すなわち、この考案の冷陰極蛍光ランプは一面を平坦面とした中空筒状の合成樹脂製の基体と、この基体の平坦面側に被蓋される透光性を有する半筒状の合成樹脂製のランプカバーにより構成されるランプ本体と、基体外側にして平坦面上に装着される冷陰極蛍光管と、基体内側に収容されるインバータ装置と、ランプ本体の両端に取り付けられる有底筒状の合成樹脂製の口金と、上記口金の底部分から突設されるランプピンからなり、上記口金をランプソケットに挿入することにより導通すべき上記ランプピンを介してインバータ装置と冷陰極蛍光管からなる点灯回路に電力を供給するランプにおいて、平坦面を除いた基体の表面にその機械的性能および物理的性能を向上させるための樹脂系塗料によるコーティング層を施すと共に、平坦面にはその反射性能と機械的性能および物理的性能を向上させるための樹脂系塗料によるコーティング層を施し、ランプカバーの表裏面または表面または裏面にはその光拡散性能と機械的性能および物理的性能を向上させるための樹脂系塗料によるコーティング層を施したことを特徴とする。
【考案の効果】
【０００９】
この考案の冷陰極蛍光ランプによれば、従来金属製であった基体を合成樹脂製とすることにより、重量を軽減することが可能となる効果を生じる。この場合、基体を金属製から合成樹脂製とすることによりランプ本体の剛性が弱まり、撓みなどの問題が生じるおそれがある。そこで、この考案においては基体の蓋体の表面およびランプカバーの表裏面または表面または裏面に樹脂系塗料によるコーティング層を施すことにより、これらの機械的性能すなわち剛性を高めてこの問題を解消している。
【００１０】
また、冷陰極蛍光管からの光をランプカバー側に反射させるために基体の平坦面に設けていた反射板を採用せず、その代わりに平坦面に施されるコーティング層を平坦面の反射性能を向上させる作用を有するものとしている。
【００１１】
一方、ランプカバーの表裏面または表面または裏面に施されるコーティング層をその光拡散性能を向上させる作用を有するものとしている。
【００１２】
よって、この考案においては樹脂系塗料によるコーティング層は単に各部材の剛性を高めるために作用するに止まらず、ランプの光学性能を高めるためにも作用することとなる。すなわち、基体の平坦面においては冷陰極蛍光管からの光をランプカバー側に反射させるための反射作用を生じさせ、ランプカバーの表裏面または表面または裏面においては光拡散性能を向上させることによる照明効率の向上作用を生じさせている。さらに、コーティング層は耐油・耐薬品・耐候性などの物理的性能を向上させるためにも作用し、冷陰極蛍光ランプを過酷な環境において使用する場合の耐久性の向上にも寄与する。
【００１３】
以上のように、この考案においては樹脂系塗料によるコーティング層を施すことにより合成樹脂部材のみから構成される冷陰極蛍光ランプの強度を高めると共に、その光学性能・耐久性を高めるという相乗効果を奏することとなる。一方、金属部材を不要とすることにより、軽量化が図られると共に、製造工程が簡素化し製造コストの低減が図られ、廃棄も容易となる。
【図面の簡単な説明】
【００１４】
【図１】この考案の冷陰極蛍光ランプの分解斜視図。
【図２】この考案の冷陰極蛍光ランプのランプ本体内を透視状態とした斜視図。
【図３】この考案の冷陰極蛍光ランプの斜視図。
【図４】この考案の冷陰極蛍光ランプの基体の断面図。
【図５】この考案の冷陰極蛍光ランプのランプカバーの断面図。
【考案を実施するための形態】
【００１５】
以下、本願考案の具体的実施例を添付図面に基づいて説明する。図１は本願考案の冷陰極蛍光ランプの分解斜視図である。図中符号１は基体、６はこの基体に被蓋されるランプカバー、同じく１０は口金である。
【００１６】
基体１は一面を平坦面とした中空筒状に構成され、合成樹脂により成形されるものであり、この実施例ではポリカーボネートにより成形している（図４参照）。ランプカバー６は透光性を有する半筒状に構成され、合成樹脂により成形されるものであり、この実施例ではポリカーボネートにより成形している（図５参照）。ランプカバー６は基体１の平坦面側に被蓋されて結合されるものであり、ランプカバーの下端の内側の両端に設けられた係合溝７に、基体の上端の外側の両端に設けられた係合突条２が係合することにより結合されてランプ本体を構成する。口金１０は有底筒状に構成され、合成樹脂により成形されるものであり、ランプ本体の両端に嵌着される。
【００１７】
図中符号Ｌは冷陰極蛍光管である。この冷陰極蛍光管は基体１の平坦面上に立設されるランプホルダー５のＣ字状の受け部に抱持されることにより平坦面上に設けられる。なお、この実施例では２本の冷陰極蛍光管が設けられている。
【００１８】
前記の基体１の内側にはインバータ装置（図示せず）が収容され、口金１０の底板に突設されるランプピン１１と冷陰極蛍光管に電気的に接続される。その結果、口金１０をランプソケットに挿入することにより、ランプピン１１を介してインバータ装置と冷陰極蛍光管Ｌからなる点灯回路に電力が供給されることとなる。
【００１９】
以上の構成よりなる冷陰極蛍光ランプの各部材には下記の通り樹脂系塗料によるコーティング層が施される（図４および５参照）。
(1) 平坦面を除いた基体４の表面にはその機械的性能および物理的性能を向上させるための樹脂系塗料によるコーティング層４が施される。この種の樹脂系塗料としてこの実施例ではアクリル樹脂とイソシアネート化合成分の２液性塗料を使用している。
(2) 基体４の平坦面にはその反射性能と機械的性能および物理的性能を向上させるための樹脂系塗料によるコーティング層３が施される。この種の樹脂系塗料としてこの実施例では高輝度（白色）のアクリル樹脂塗料を使用し、光沢度９５％以上を実現している。なお、アクリル樹脂塗料によりアンダーコート層を施し、その上に真空蒸着法によりアルミニウムなどのミラーコーティング層を施してもよい。
(3) ランプカバー６の表裏面または表面または裏面にはその光拡散性能と機械的性能および物理的性能を向上させるための樹脂系塗料によるコーティング層８、９が施される。この種の樹脂系塗料としてこの実施例ではアクリルウレタン２液性塗料を使用している。この実施例ではコーティング層はランプカバーの表裏面に施している。
【符号の説明】
【００２０】
Ｌ        冷陰極蛍光管
１        基体
３        コーティング層
４        コーティング層
６        ランプカバー
８        コーティング層
９        コーティング層
１０      口金
１１      ランプピン
【図１】
0003168735.tif 000003
【図２】
0003168735.tif 000004
【図３】
0003168735.tif 000005
【図４】
0003168735.tif 000006
【図５】
0003168735.tif 000007
【手続補正書】
【提出日】平成23年4月18日(2011.4.18)
【手続補正１】
【補正対象書類名】実用新案登録請求の範囲
【補正対象項目名】全文
【補正方法】変更
【補正の内容】
【実用新案登録請求の範囲】
【請求項１】
一面を平坦面とした中空筒状の合成樹脂製の基体と、この基体の平坦面側に被蓋される透光性を有する半筒状の合成樹脂製のランプカバーにより構成されるランプ本体と、基体外側にして平坦面上に装着される冷陰極蛍光管と、基体内側に収容されるインバータ装置と、ランプ本体の両端に取り付けられる有底筒状の合成樹脂製の口金と、上記口金の底部分から突設されるランプピンからなり、上記口金をランプソケットに挿入することにより導通すべき上記ランプピンを介してインバータ装置と冷陰極蛍光管からなる点灯回路に電力を供給するランプにおいて、平坦面を除いた基体の表面にその機械的性能および物理的性能を向上させるためにアクリル樹脂とイソシアネート化合成分の２液性塗料によるコーティング層を施すと共に、平坦面にはその反射性能と機械的性能および物理的性能を向上させるために高輝度のアクリル樹脂塗料による光沢度９５％以上のコーティング層を施し、ランプカバーの表裏面または表面または裏面にはその光拡散性能と機械的性能および物理的性能を向上させるためにアクリルウレタン２液性塗料によるコーティング層を施したことを特徴とする冷陰極蛍光ランプ。
【請求項２】
一面を平坦面とした中空筒状のポリカーボネート製の基体と、この基体の平坦面側に被蓋される透光性を有する半筒状のポリカーボネート製のランプカバーにより構成されるランプ本体と、基体外側にして平坦面上に装着される冷陰極蛍光管と、基体内側に収容されるインバータ装置と、ランプ本体の両端に取り付けられる有底筒状の合成樹脂製の口金と、上記口金の底部分から突設されるランプピンからなり、上記口金をランプソケットに挿入することにより導通すべき上記ランプピンを介してインバータ装置と冷陰極蛍光管からなる点灯回路に電力を供給するランプにおいて、平坦面を除いた基体の表面にその機械的性能および物理的性能を向上させるためにアクリル樹脂とイソシアネート化合成分の２液性塗料によるコーティング層を施すと共に、平坦面にはその反射性能と機械的性能および物理的性能を向上させるために高輝度のアクリル樹脂塗料による光沢度９５％以上のコーティング層を施し、ランプカバーの表裏面または表面または裏面にはその光拡散性能と機械的性能および物理的性能を向上させるためにアクリルウレタン２液性塗料によるコーティング層を施した請求項１記載の冷陰極蛍光ランプ。